(57)【要約】【課題】造営材に形成された取付穴に取り付けられ、器具本体からの出射光の光軸の方向を調整可能な照明器具であって、器具本体が造営材に対して回動することを抑制できる照明器具を提供する。【解決手段】造営材９００に形成された取付穴９１０に取り付けられる照明器具１０であって、取付穴９１０に固定される固定枠３０と、固定枠３０に配置され、かつ、固定枠３０に対して回動自在である回動枠２８と、回動枠２８に支持される器具本体２０と、器具本体２０に配置される光源５０と、線材を用いて形成された弾性体４０であって、固定枠３０に取り付けられる取付部４５と、回動枠２８を固定枠３０に向けて付勢する付勢部４１とを有し、固定枠３０との間で回動枠２８を挟持する弾性体４０とを備える。【選択図】図１
2018078004.tif 000002
【特許請求の範囲】
【請求項１】
造営材に形成された取付穴に取り付けられる照明器具であって、
前記取付穴に固定される固定枠と、
前記固定枠に配置され、かつ、前記固定枠に対して回動自在である回動枠と、
前記回動枠に支持される器具本体と、
前記器具本体に配置される光源と、
線材を用いて形成された弾性体であって、前記固定枠に取り付けられる取付部と、前記回動枠を前記固定枠に向けて付勢する付勢部とを有し、前記固定枠との間で前記回動枠を挟持する弾性体とを備える
照明器具。
【請求項２】
前記固定枠、前記回動枠及び前記弾性体は、導電性部材で形成され、
前記固定枠は、前記弾性体を介して前記回動枠と導通する
請求項１に記載の照明器具。
【請求項３】
前記弾性体は、前記付勢部において前記回動枠と導通する
請求項２に記載の照明器具。
【請求項４】
前記器具本体は、導電性部材で形成され、かつ、アース線が接続されるアース部を有し、
前記回動枠は、前記器具本体と導通する
請求項２又は３に記載の照明器具。
【請求項５】
さらに、
前記固定枠に取り付けられ、導電性部材で形成された板バネを備え、
前記板バネは、前記固定枠と導通する
請求項２〜４のいずれか１項に記載の照明器具。
【請求項６】
前記弾性体は、前記固定枠に形成されたねじ穴に捻じ込まれた取付ねじによって、前記固定枠に取り付けられる
請求項１〜５のいずれか１項に記載の照明器具。
【請求項７】
前記線材は、円形状の断面を有する
請求項１〜６のいずれか１項に記載の照明器具。
【発明の詳細な説明】
【技術分野】
【０００１】
本発明は、造営材に取り付けられる照明器具に関する。
【背景技術】
【０００２】
従来、照明器具として、例えば、ダウンライトのように天井板等の造営材に埋め込み配設されて鉛直方向下向きに光を出射する天井埋込型の照明器具等が知られている。
【０００３】
この種の照明器具は、光源と、光源が取り付けられる器具本体と、造営材に形成された取付穴の周縁に配置される環状の固定枠と、一端が固定枠に取り付けられた複数の板バネとを備える（例えば特許文献１など参照）。特許文献１に記載された照明器具は、固定枠（及び造営材）に対する器具本体の取り付け角度、すなわち、光軸の方向を調整することができる、いわゆるユニバーサルダウンライトである。
【０００４】
特許文献１に記載された照明器具においては、固定枠に配置され、器具本体を支持する回動枠を備える。回動枠は、造営材の取付穴の略中心を通り、造営材の取り付け面に略垂直な軸を中心に、固定枠に対して回動自在である。回動枠とともに器具本体を回動させることにより、光軸の方向を調整することができる。
【先行技術文献】
【特許文献】
【０００５】
【特許文献１】特開２０１５−１３５７４３号公報
【発明の概要】
【発明が解決しようとする課題】
【０００６】
しかしながら、特許文献１に記載されたような照明器具においては、照明器具が取り付けられた造営材の振動などに伴って、回動枠が固定枠に対して回動することがあり得る。このような回動に伴い、光軸が変動するため、所望の光軸に沿って光が出射されなくなり得る。また、照明器具に接続された配線が照明器具に絡まるおそれもある。
【０００７】
そこで、本発明は、造営材に形成された取付穴に取り付けられ、器具本体からの出射光の光軸の方向を調整可能な照明器具であって、器具本体が造営材に対して回動することを抑制できる照明器具を提供することを目的とする。
【課題を解決するための手段】
【０００８】
上記目的を達成するために、本発明に係る照明器具の一態様は、造営材に形成された取付穴に取り付けられる照明器具であって、前記取付穴に固定される固定枠と、前記固定枠に配置され、かつ、前記固定枠に対して回動自在である回動枠と、前記回動枠に支持される器具本体と、前記器具本体に配置される光源と、線材を用いて形成された弾性体であって、前記固定枠に取り付けられる取付部と、前記回動枠を前記固定枠に向けて付勢する付勢部とを有し、前記固定枠との間で前記回動枠を挟持する弾性体とを備える。
【発明の効果】
【０００９】
本発明の一態様によれば、造営材に形成された取付穴に取り付けられ、器具本体からの出射光の光軸の方向を調整可能な照明器具であって、器具本体が造営材に対して回動することを抑制できる照明器具を提供することができる。
【図面の簡単な説明】
【００１０】
【図１】図１は、実施の形態に係る照明器具の外観を示す斜視図である。
【図２】図２は、実施の形態に係る照明器具の断面図である。
【図３】図３は、実施の形態に係る照明器具の光軸の方向を傾斜させた状態における断面図である。
【図４】図４は、実施の形態に係る照明器具の一部分解斜視図である。
【図５】図５は、実施の形態に係る照明器具を造営材に取り付けた状態を示す斜視図である。
【図６】図６は、実施の形態に係る弾性体の外観を示す斜視図である。
【図７】図７は、実施の形態に係る照明器具の外観を示す上面図である。
【発明を実施するための形態】
【００１１】
以下、本発明の実施の形態について、図面を参照しながら説明する。以下に説明する実施の形態は、いずれも本発明の一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態）
［１．全体構成］
実施の形態に係る照明器具１０の全体構成について、図面を用いて説明する。
【００１４】
図１は、本実施の形態に係る照明器具１０の外観を示す斜視図である。図２及び図３は、本実施の形態に係る照明器具１０の断面図である。図２及び図３は、照明器具１０の光軸Ｊを通る断面を示している。図３では、照明器具１０の光軸Ｊの方向を傾斜させた状態における断面図が示されている。図４は、本実施の形態に係る照明器具１０の一部分解斜視図である。図５は、本実施の形態に係る照明器具１０を造営材９００に取り付けた状態を示す斜視図である。
【００１５】
なお、各図において、図２に示される光軸Ｊの方向に平行な方向をＺ軸方向、Ｚ軸方向に垂直で互いに直交する２つの方向をＸ軸方向及びＹ軸方向としている。なお、本実施の形態では、Ｚ軸方向が鉛直方向であり、照明器具１０は鉛直方向下向きに光を出射する。
【００１６】
図１〜図４に示される照明器具１０は、図５に示される造営材９００に形成された取付穴９１０に取り付けられる照明器具である。照明器具１０は、例えば建物の天井板等の造営材９００に埋め込み配設されることにより下方（床や壁等）に光を照明するダウンライト等の埋込型照明器具である。本実施の形態では、照明器具１０は、造営材９００に対して光軸方向を傾斜させることができる、いわゆるユニバーサルダウンライトである。図２には、照明器具１０の光軸Ｊが造営材９００の取付面に対して垂直な方向となる場合の断面図が示されている。
【００１７】
図２に示されるように、照明器具１０は、主に、光源５０と、器具本体２０と、回動枠２８と、固定枠３０と、弾性体４０とを備える。照明器具１０は、さらに、接続部材２６と、板バネ８０と、反射部材５２と、光学部材５４と、補助反射部材５６とを備える。なお、図示しないが、光源５０などは、ねじなどの固定用部材で器具本体２０に取り付けられている。
【００１８】
以下、照明器具１０の各構成要素について説明する。
【００１９】
［１−１．器具本体］
図１及び図２に示される器具本体２０は、照明器具１０の本体部分であり、光源５０が取り付けられる。器具本体２０は、取付台２２と、筒状部材２４とを備える。
【００２０】
取付台２２は、光源５０が取り付けられる台として機能する部材である。取付台２２には、複数のフィンが形成されている。取付台２２においては、光源５０で発生した熱が複数のフィンに伝達し、複数のフィンにおいて放散される。つまり、取付台２２は、光源５０の熱を放散させるヒートシンクとしても機能する。
【００２１】
筒状部材２４は、光源５０及び光軸Ｊの周囲を囲む部材であり、筒状の形状を有する。本実施の形態では、筒状部材２４は、円筒状の形状を有する。筒状部材２４の一方の開口端部には、取付台２２が配置され、当該開口端部が塞がれる。これにより、器具本体２０には、筒状部材２４と取付台２２とで凹部２３が形成される。この凹部２３内に光源５０などが配置される。
【００２２】
取付台２２及び筒状部材２４を形成する材料は、特に限定されない。本実施の形態では、取付台２２及び筒状部材２４は、例えば、アルミニウムなどの導電性部材で形成される。
【００２３】
［１−２．光源］
図２に示される光源５０は、照明器具１０から出射される光を生成する発光モジュールである。光源５０は、所定の光を放射状に出射する。本実施の形態では、光源５０は、ＬＥＤ（Ｌｉｇｈｔ  Ｅｍｉｔｔｉｎｇ  Ｄｉｏｄｅ）を有する発光モジュールである。光源５０は、例えば白色光を出射するように構成されている。光源５０は、ＣＯＢ（Ｃｈｉｐ  Ｏｎ  Ｂｏａｒｄ）型ＬＥＤで構成され、基台と、基台上に実装されたベアチップ（ＬＥＤチップ）である複数の青色ＬＥＤと、それら青色ＬＥＤを封止し、黄色蛍光体を含む封止部材とを備える。
【００２４】
光源５０に用いられる基台は、複数のＬＥＤを実装するための実装基板であって、例えばセラミックス基板、樹脂基板又は絶縁被覆されたメタルベース基板などである。また、基台は、例えば平面視において矩形状である平面を有する板材である。基台は、底面（Ｚ軸方向正側の面）を器具本体２０の取付台２２に向けて固定される。なお、図示しないが、基台には、ＬＥＤを発光させるための直流電力を外部から受電するための一対の電極端子（正電極端子及び負電極端子）が形成されている。
【００２５】
［１−３．固定枠］
図１及び図２に示される固定枠３０は、器具本体２０を支持し、造営材９００に形成された取付穴９１０に固定される部材である（造営材９００及び取付穴９１０については図５参照）。固定枠３０は、取付穴９１０の内周に沿って配置され、板バネ８０によって取付穴９１０に固定される。固定枠３０は、回動枠２８を固定枠３０に対して回動自在に支持する。また、回動枠２８には、接続部材２６が取り付けられており、接続部材２６には、器具本体２０が取り付けられている。このように固定枠３０は、回動枠２８及び接続部材２６を介して器具本体２０を支持する。
【００２６】
本実施の形態では、図２に示されるように、固定枠３０は、補助反射部材５６を介して回動枠２８を支持する。固定枠３０は、取付穴９１０に対応する環状の形状を有し、補助反射部材５６のＺ軸方向における位置を規制する環状の規制部３１を有する。規制部３１は、固定枠３０から光軸向きに突出する円環状の部分である。
【００２７】
また、図１及び図２に示されるように固定枠３０は、造営材９００と当接する鍔状部２９を有する。鍔状部２９は、固定枠３０から外側向きに（つまり、図２における光軸Ｊから遠ざかる向きに）突出する円環状の部分である。鍔状部２９と、板バネ８０との間で造営材９００を挟持することで、照明器具１０を造営材９００に固定することができる。
【００２８】
固定枠３０を形成する材料は、特に限定されない。本実施の形態では、固定枠３０は、例えば、アルミニウムなどの導電性部材で形成される。
【００２９】
［１−４．回動枠］
図１及び図２に示される回動枠２８は、固定枠３０に配置され、かつ、造営材９００に形成された取付穴９１０を貫く軸を中心に固定枠３０に対して回動自在である環状部材である。回動枠２８には、接続部材２６が取り付けられており、接続部材２６には、器具本体２０が取り付けられている。このように、回動枠２８は、接続部材２６を介して器具本体２０を支持する。
【００３０】
また、図４に示されるように、回動枠２８には、補助反射部材５６の二つ係合部５７とそれぞれ係り合う二つの被係合部２７が形成されている。これにより、補助反射部材５６は、回動枠２８と一体的に回動する。
【００３１】
回動枠２８を形成する材料は、特に限定されない。本実施の形態では、回動枠２８は、例えば、アルミニウムなどの導電性部材で形成される。
【００３２】
［１−５．弾性体］
図１〜図４に示される弾性体４０について、図６も参照しながら説明する。
【００３３】
図６は、本実施の形態に係る弾性体４０の外観を示す斜視図である。
【００３４】
図６に示されるように、弾性体４０は、線材を用いて形成された弾性部材である。弾性体４０は、固定枠３０に取り付けられる取付部４５と、回動枠２８を固定枠３０に向けて付勢する付勢部４１とを有し、固定枠３０との間で回動枠２８を挟持する。弾性体４０は、さらに、付勢部４１の一方の端部及び他方の端部にそれぞれ接続される二つの腕部４２と、二つの腕部４２にそれぞれ接続される二つの屈曲部４３と、二つの屈曲部４３にそれぞれ接続される二つの支持部４４とを備える。
【００３５】
本実施の形態では、付勢部４１、腕部４２及び支持部４４は、いずれも直線状の線材からなる。二つの屈曲部４３は、それぞれ、腕部４２と支持部４４とが所定の角度をなすように、腕部４２と支持部４４とを接続する。二つの支持部４４は、それぞれ取付部４５に接続される。本実施の形態では、弾性体４０は、一本の線材を屈曲させることによって形成されている。
【００３６】
図４に示されるように、弾性体４０は、固定枠３０に形成されたねじ穴３０ｓに捻じ込まれた取付ねじ４８によって、固定枠３０に取り付けられる。本実施の形態では、弾性体４０の取付部４５は、線材を屈曲させることで形成された環状部を有する。取付部４５の環状部を介して取付ねじ４８のねじ部を固定枠３０に形成されたねじ穴３０ｓに捻じ込むことによって、弾性体４０が固定枠に取り付けられる。なお、取付部４５は、取付ねじ４８などで固定枠３０に取り付けることができる構造を有すればよい。例えば、取付部４５は、線材をＵ字型に屈曲させることによって形成されてもよい。
【００３７】
弾性体４０を形成する材料は、弾性部材であれば特に限定されないが、後述するように弾性体４０を導電性部材で形成することによって、固定枠３０を回動枠２８と導通させることができる。弾性体４０は、例えばステンレス製の線材で形成される。
【００３８】
［１−６．接続部材］
図１及び図２に示される接続部材２６は、器具本体２０と回動枠２８とを接続する部材である。本実施の形態では、図１に示されるように、二つの接続部材２６は、それぞれボルト３４及びナット３５によって回動枠２８と締結され、ねじ３２によって器具本体２０と締結される。また、ボルト３４の回転軸を中心として、接続部材２６の回動枠２８に対する取付角度を調整できる。一方、接続部材２６の器具本体２０に対する取付角度は固定されている。したがって、図３に示されるように、接続部材２６の回動枠２８に対する取付角度を調整することにより、器具本体２０の回動枠２８に対する取付角度を調整できる。器具本体２０の回動枠２８に対する取付角度を調整することにより、光軸Ｊを通り、ボルト３４の回転軸に垂直な平面内において光軸Ｊの方向を調整できる。さらに、回動枠２８は、固定枠３０に対して回動自在であることから、回動枠２８の回動に伴って、接続部材２６と回動枠２８とを締結するボルト３４も回動する。これに伴い、上述の光軸Ｊを通りボルト３４の回転軸に垂直な平面も回動させることができる。
【００３９】
接続部材２６を形成する材料は、特に限定されない。本実施の形態では、接続部材２６は、例えば、アルミニウムなどの導電性部材で形成される。
【００４０】
［１−７．板バネ］
図１及び図２に示される板バネ８０は、固定枠３０を造営材９００に形成された取付穴９１０に固定する弾性部材である。本実施の形態では、固定枠３０にボルト３８を用いて取り付けられた三つの板バネ８０によって、固定枠３０が取付穴に固定される。板バネ８０は、湾曲形状部を有する。照明器具１０は、当該湾曲形状部と固定枠３０の鍔状部２９との間で造営材９００を挟持することによって、造営材９００に固定される。
【００４１】
板バネ８０を形成する材料は、弾性部材であれば特に限定されない。板バネ８０は、例えば鋼材、アルミニウムなどの導電性部材で形成される。また、板バネ８０の湾曲形状部は、例えば金型に板状部材を押し当てることによって形成できる。
【００４２】
［１−８．反射部材］
図２に示される反射部材５２は、光源５０からの光の配光を制御する部材である。本実施の形態では、反射部材５２は、光源５０からの光を光学部材５４に向けて反射させる。
【００４３】
反射部材５２は、図２に示すように、光源５０からの光が入射される側（図２の上側）の端部から、当該光が出射される側の端部に向かって内径が漸次大きくなるように構成された筒状の形状を有する。反射部材５２の内面において、光源５０からの光が反射される。
【００４４】
反射部材５２は、例えばポリブチレンテレフタレート（ＰＢＴ）など硬質の白色樹脂材料で形成される。なお、反射部材５２は、内面にアルミニウムなどの金属膜が設けられてもよい。
【００４５】
なお反射部材５２は、照明器具１０において必須の構成要素ではない。つまり、照明器具１０は、反射部材５２を備えなくてもよい。
【００４６】
［１−９．光学部材］
図２に示される光学部材５４は、反射部材５２からの光が入射される透光性の部材である。光学部材５４は、反射部材５２から入射した光の配光を制御して出射する機能を有してもよい。本実施の形態では、光学部材５４は円板状のフレネルレンズである。光学部材５４は、反射部材５２からの光を集光し、略円形の断面を有する光を出射する。
【００４７】
光学部材５４は、透光性材料で形成されており、例えばアクリル、ポリカーボネート（ＰＣ）などの透明樹脂材料、又は、ガラス材料などの透明材料で形成される。
【００４８】
［１−１０．補助反射部材］
図１及び図２に示される補助反射部材５６は、光学部材５４から出射された光の配光を制御する部材である。補助反射部材５６は、光学部材５４から出射された光のうち、補助反射部材５６の内面に入射した光を、図２の略下方に向けて反射させる。
【００４９】
また、図４に示されるように、補助反射部材５６には、回動枠２８の二つ被係合部２７とそれぞれ係り合う二つの係合部５７が形成されている。これにより、補助反射部材５６は、回動枠２８と一体的に回動する。
【００５０】
補助反射部材５６は、例えばＰＢＴなど硬質の白色樹脂材料で形成される。なお、補助反射部材５６は、内面にアルミニウムなどの金属膜が設けられてもよい。
【００５１】
［２．作用及び効果］
本実施の形態に係る照明器具１０の作用及び効果について説明する。
【００５２】
本実施の形態では、弾性体４０が固定枠３０に取り付けられた状態において、弾性体４０の付勢部４１が回動枠２８を図１〜図４のＺ軸方向の正から負に向かう向きに付勢するように弾性体４０の形状が設計される。つまり、弾性体４０を固定枠３０に取り付けた場合に、弾性体４０の付勢部４１がＺ軸方向の負から正に向かう向きに変形した状態となるように弾性体４０の形状が設計される。言い換えると、弾性体４０単体における屈曲部４３の屈曲角度は、弾性体４０が固定枠３０に取り付けた状態における屈曲部４３の屈曲角度より小さい。このように弾性体４０が回動枠２８を固定枠３０の規制部３１に向けて付勢し、固定枠３０との間で回動枠２８を挟持することにより、回動枠２８を回動させるために要する力が増大する。具体的には、回動枠２８と弾性体４０との間の摩擦力が発生する。さらに、回動枠２８と一体的に回動する補助反射部材５６と、固定枠３０との間の摩擦力が増大する。このため、回動枠２８が造営材の振動などに伴って回動することを抑制できる。したがって、回動枠２８に支持される器具本体２０が造営材９００に対して回動することを抑制できる。
【００５３】
また、線材を用いることにより、容易に、かつ、低コストで弾性体４０を製造することができる。本実施の形態では、弾性体４０を形成する線材は、円形状の断面を有する。これにより、弾性体４０の付勢部４１における回動枠２８との接触部を、曲率を有する面で形成できる。つまり、付勢部４１における回動枠２８との接触部に角張った部分が存在しないように弾性体４０を形成することができる。このため、回動枠２８の表面に微小な凹凸が存在する場合でも、弾性体４０が回動枠２８の表面に引っ掛かることを抑制できる。なお、線材が円形状の断面を有する場合であっても、線材の長手方向端部においては、角張った部分が存在し得るため、線材の長手方向端部が付勢部４１に配置される場合には、当該端部が回動枠２８の表面に引っ掛かり得る。そのため、弾性体４０の付勢部４１に線材の長手方向端部が配置されないように、弾性体４０を形成してもよい。本実施の形態では、図６に示されるように、線材の二つの長手方向端部は、取付部４５に配置されており、付勢部４１には配置されていない。
【００５４】
また、本実施の形態では、固定枠３０、回動枠２８及び弾性体４０は、導電性を有する。ここで、固定枠３０には、電気絶縁性のコーティングがなされている場合がある。また、固定枠３０と回動枠２８との間に、電気絶縁性の補助反射部材５６が配置されている。このため、固定枠３０と回動枠２８との間は、必ずしも直接的には導通していない。しかしながら、本実施の形態では、固定枠３０は、弾性体４０を介して回動枠２８と導通することができる。具体的には、弾性体４０は、固定枠３０に捻じ込まれた導電性の取付ねじ４８を介して固定枠３０と導通する。さらに、弾性体４０は、付勢部４１において、回動枠２８と導通する。このため、回動枠２８を接地することで、固定枠３０を接地することができる。また、弾性体４０が付勢部４１において回動枠２８と導通する場合、付勢部４１は回動枠２８を付勢しているため、付勢部４１と回動枠２８との間の導通をより確実にすることができる。
【００５５】
また、弾性体４０は、固定枠３０に形成されたねじ穴３０ｓに捻じ込まれた導電性の取付ねじ４８によって固定枠３０に取り付けられる。これにより、弾性体４０を固定枠３０に取り付け、かつ、固定枠３０と導通することができる。また、取付ねじ４８を固定枠３０に形成されたねじ穴３０ｓに捻じ込むことによって、固定枠３０の表面に電気絶縁性のコーティングがなされている場合にも、固定枠３０と取付ねじ４８とを容易に導通させることができる。つまり、取付ねじ４８を介して、固定枠３０と弾性体４０とを容易に導通させることができる。
【００５６】
さらに、照明器具１０が固定枠３０と導通する導電性の板バネ８０を備える場合には、板バネ８０も接地することができる。したがって、回動枠２８を接地することによって、回動枠２８の帯電だけでなく、固定枠３０及び板バネ８０の帯電も抑制できる。本実施の形態では、器具本体２０及び接続部材２６は導電性を有する。また、器具本体２０はアース線を接続するための構成を有する。この構成について図面を用いて説明する。
【００５７】
図７は、本実施の形態に係る照明器具１０の外観を示す上面図である。
【００５８】
図７に示されるように、器具本体２０の取付台２２は、アース線が接続されるアース部２５を有する。より具体的には、取付台２２の外表面に形成されたねじ穴にねじが捻じ込まれている。このねじによって、アース線が接続された端子を取付台２２に電気的に接続することができる。これにより、器具本体２０（つまり取付台２２及び取付台２２に電気的に接続された筒状部材２４）を接地することができる。また、器具本体２０と、接続部材２６とは、直接的に、又は、ねじ３２を介して間接的に導通している。さらに、接続部材２６と回動枠２８とは、直接的に、又は、ボルト３４を介して間接的に導通している。つまり、回動枠２８は、接続部材２６及び器具本体２０を介して接地される。これにより、回動枠２８及び弾性体４０を介して固定枠３０を接地することができる。
【００５９】
［３．まとめ］
以上のように、本実施の形態に係る照明器具１０は、造営材９００に形成された取付穴９１０に取り付けられる照明器具１０である。照明器具１０は、取付穴９１０に固定される固定枠３０と、固定枠３０に配置され、かつ、固定枠３０に対して回動自在である回動枠２８と、回動枠２８に支持される器具本体２０と、器具本体２０に配置される光源５０とを備える。照明器具１０は、さらに、線材を用いて形成された弾性体４０であって、固定枠３０に取り付けられる取付部４５と、回動枠２８を固定枠３０に向けて付勢する付勢部４１とを有し、固定枠３０との間で回動枠２８を挟持する弾性体４０を備える。
【００６０】
このように、弾性体４０で回動枠２８を固定枠３０に向けて付勢し、かつ、弾性体４０と固定枠３０との間で回動枠２８を挟持することにより、回動枠２８と弾性体４０などとの間の摩擦力が増大する。これにより、回動枠２８が造営材９００の振動などに伴って回動することを抑制できる。したがって、回動枠２８に支持される器具本体２０が造営材９００に対して回動することを抑制できる。また、弾性体４０を、線材で形成することにより、容易に、かつ、低コストで弾性体４０を製造することができる。
【００６１】
また、照明器具１０において、固定枠３０、回動枠２８及び弾性体４０は、導電性部材で形成され、固定枠３０は、弾性体４０を介して回動枠２８と導通してもよい。
【００６２】
これにより、回動枠２８を接地することで、固定枠３０も接地することができる。
【００６３】
また、照明器具１０において、弾性体４０は、付勢部４１において回動枠２８と導通してもよい。
【００６４】
この場合、付勢部４１は回動枠２８を付勢しているため、付勢部４１と回動枠２８との間をより確実に導通させることができる。
【００６５】
また、照明器具１０において、器具本体２０は、導電性部材で形成され、かつ、アース線が接続されるアース部２５を有し、回動枠２８は、器具本体２０と導通してもよい。
【００６６】
これにより、器具本体２０を接地することができる。また、器具本体２０と回動枠２８とは、導通していることから、回動枠２８及び器具本体２０を介して固定枠３０を接地することができる。
【００６７】
また、照明器具１０は、さらに、固定枠３０に取り付けられ、導電性部材で形成された板バネ８０を備え、板バネ８０は、固定枠３０と導通してもよい。
【００６８】
これにより、回動枠２８を接地することで、板バネ８０も接地することができる。
【００６９】
また、照明器具１０において、弾性体４０は、固定枠３０に形成されたねじ穴３０ｓに捻じ込まれた取付ねじ４８によって、固定枠３０に取り付けられてもよい。
【００７０】
これにより、弾性体４０を固定枠３０に取り付け、かつ、固定枠３０と導通することができる。また、取付ねじ４８を固定枠３０に形成されたねじ穴３０ｓに捻じ込むことによって、固定枠３０の表面に電気絶縁性のコーティングがなされている場合にも、固定枠３０と取付ねじ４８とを容易に導通させることができる。つまり、取付ねじ４８を介して、固定枠３０と弾性体４０とを容易に導通させることができる。
【００７１】
また、照明器具１０において、線材は、円形状の断面を有してもよい。
【００７２】
これにより、弾性体４０の付勢部４１における回動枠２８との接触部を、曲率を有する面で形成できる。このため、弾性体４０が回動枠２８に引っ掛かることを抑制できる。
【００７３】
（変形例など）
以上、本発明に係る照明器具について、実施の形態に基づいて説明したが、本発明は、上記実施の形態に限定されるものではない。
【００７４】
例えば、上記実施の形態において、弾性体４０は、固定枠３０と回動枠２８とを導通する機能を有したが、弾性体４０の構成はこれに限定されない。例えば、弾性体４０は、電気絶縁性の部材で形成されてもよい。
【００７５】
また、弾性体４０を回動枠２８の回動可能角度の範囲を制限するためのストッパとして使用することも可能である。例えば、回動枠２８に、所定の回動角度において弾性体４０に当接することによって回動枠２８の回動を制止する制止部材を設けることで、回動枠２８の回動可能角度の範囲を、制止部材が弾性体４０に当接しない範囲に制限することができる。
【００７６】
また、照明器具１０の補助反射部材５６は、回動枠２８と一体的に回動する構成を有するが、補助反射部材５６は、必ずしも回動枠２８と一体的に回動しなくてもよい。
【００７７】
また、照明器具１０の導電性の構成要素は、各構成要素間の電気的な導通を確保できれば、表面に電気絶縁性のコーティングが施されていてもよい。
【００７８】
また、上記の実施の形態において、光源５０は基台上にＬＥＤチップを直接実装したＣＯＢ構造を有したが、これに限定されない。例えば、ＣＯＢ構造のＬＥＤモジュールに代えて、ＳＭＤ（Ｓｕｒｆａｃｅ  Ｍｏｕｎｔ  Ｄｅｖｉｃｅ）構造のＬＥＤモジュールを用いても構わない。ＳＭＤ構造のＬＥＤモジュールは、樹脂製のパッケージ（容器）の凹部の中にＬＥＤチップ（発光素子）を実装して当該凹部内に封止部材（蛍光体含有樹脂）を封入したパッケージ型のＬＥＤ素子（ＳＭＤ型ＬＥＤ素子）を、１個又は複数個、基板に実装した構成である。
【００７９】
また、上記の各実施の形態では、発光素子としてＬＥＤを例示したが、発光素子としては、半導体レーザ等の半導体発光素子、又は、有機ＥＬ（Ｅｌｅｃｔｒｏ  Ｌｕｍｉｎｅｓｃｅｎｃｅ）素子や無機ＥＬ等のその他の固体発光素子を用いてもよい。
【００８０】
また、上記の実施の形態における照明器具１０は、天井以外の造営材に取り付けられてもよい。
【００８１】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００８２】
１０  照明器具
２０  器具本体
２５  アース部
２８  回動枠
３０  固定枠
４０  弾性体
４１  付勢部
４５  取付部
４８  取付ねじ
５０  光源
８０  板バネ
９００  造営材
９１０  取付穴
【図１】
2018078004.tif 000003
【図２】
2018078004.tif 000004
【図３】
2018078004.tif 000005
【図４】
2018078004.tif 000006
【図５】
2018078004.tif 000007
【図６】
2018078004.tif 000008
【図７】
2018078004.tif 000009